(57)【要約】【課題】取り扱いが容易なファイリング装置を提供する。【解決手段】一端部に複数の孔５１が設けられた複数枚のシート５０を増減自在に綴じるファイリング装置５である。このファイリング装置５は、シート５０の孔５１に出し入れすべく開口５２ａが設けられた複数のリング５２を有する綴じ込み部材５３と、この綴じ込み部材５３に着脱自在に取り付けられ、複数のリング５２における開口５２ａを閉じる帯状部材５４とを備えている。帯状部材５４は所定の力で弾性変形すると共に、その両側に複数のリング５２における開口５２ａの端縁部５２ｂに係止する係止手段５５を有している。帯状部材５４を綴じ込み部材５３に取り付ける場合には、帯状部材５４を弾性変形させて両側の係止手段５５を開口５２ａ内に挿入した後、帯状部材５４をその弾性で元の形状に復元させて、係止手段５５を開口５２ａの端縁部５２ｂに係止させる。【選択図】　　図１
2004106438.tif 000002
【特許請求の範囲】
【請求項１】
一端部に複数の孔が設けられた複数枚のシートを増減自在に綴じるファイリング装置において、
前記シートの孔に出し入れすべく開口が設けられた複数のリングを有する綴じ込み部材と、
前記綴じ込み部材に着脱自在に取り付けられ、前記複数のリングにおける開口を閉じる帯状部材とを備え、
前記帯状部材は所定の力で弾性変形すると共に、その両側に前記複数のリングにおける開口の端縁部に係止する係止手段を有し、
前記帯状部材を弾性変形させて両側の前記係止手段を前記開口内に挿入し、前記帯状部材をその弾性で元の形状に復元させて前記係止手段を前記開口の端縁部に係止させることを特徴とするファイリング装置。
【請求項２】
前記帯状部材の断面は、前記開口より幅が狭い上面と、前記上面と平行で前記開口より幅が広い下面と、前記上面及び前記下面の端縁を結ぶべく互いに反対側に傾斜する傾斜面とを有し、前記傾斜面には前記係止手段が形成されていることを特徴とする請求項１に記載のファイリング装置。
【発明の詳細な説明】
【０００１】
【発明の属する技術分野】
本発明は、ファイリング装置に係り、特に一端に複数の孔が一列に設けられたシートを増減自在に綴じるファイリング装置に関する。
【０００２】
【従来の技術】
ファイリング装置には、紙などのシートの一端部に一列に設けられた複数の孔を利用して、複数枚のシートを増減自在に綴じるファイリング装置がある。
【０００３】
図１０は、従来のファイリング装置１を示す。このファイリング装置１は、シート１０の一端部に設けられた複数の孔１１に、出し入れ自在な複数のリング１２を有する綴じ込み部材１３と、この綴じ込み部材１３に取り付けられる帯状部材１４とを有している。
【０００４】
綴じ込み部材１３のリング１２には、図１１に示すように、シート１０の孔１１にリング１２を出し入れするため、その一部に開口１２ａが設けられている。また、帯状部材１４の両側には、互いに反対方向に開いた係止溝１６，１６が設けられている。
【０００５】
そして、綴じ込み部材１３のリング１２における開口１２ａの両端縁部１２ｂ，１２ｂを、帯状部材１４の係止溝１６，１６に係止させることによって、帯状部材１４を綴じ込み部材１３に取り付けることにより、開口１２ａを帯状部材１４で閉じて、シート１０が不用意に脱落しないように構成されている。
【０００６】
リング１２の開口１２ａの幅は、帯状部材１４の係止溝１６，１６の入り口の幅より小さく形成されている。この帯状部材１４を綴じ込み部材１３に取り付ける際には、帯状部材１４の片端部の係止溝１６，１６を、リング１２における開口１２ａの端縁部１２ｂ，１２ｂに嵌め込み、そのまま帯状部材１４をスライドさせて全てのリング１２に嵌め込む。
【０００７】
【発明が解決しようとする課題】
しかしながら、従来のファイリング装置１は、帯状部材１４を綴じ込み部材１３から外した状態では、綴じ込み部材１３における多数のリング１２の中心が互いにずれており、その開口１２ａにおける端縁部１２ｂ，１２ｂが一直線上に並んでいない。
【０００８】
従って、帯状部材１４を綴じ込み部材１３に取り付ける際に、帯状部材１４をスライドさせてリング１２に嵌め込むとき、帯状部材１４の端部がリング１２に衝突するため、その衝突したリング１２の位置をいちいち調整する必要があり、取り扱いが面倒であった。
【０００９】
本発明は、このような問題に鑑みなされたもので、取り扱いが容易なファイリング装置の提供を課題とする。
【００１０】
【課題を解決するための手段】
本発明は、前記課題を解決するため、以下の手段を採用した。
【００１１】
すなわち、本発明は、帯状部材を弾性変形可能な材料で成形することにより、帯状部材を綴じ込み部材に簡単に取り付けることができるようにしたことを要旨とする。
【００１２】
本発明は、一端部に複数の孔が設けられた複数枚のシートを増減自在に綴じるファイリング装置において、前記シートの孔に出し入れすべく開口が設けられた複数のリングを有する綴じ込み部材と、前記綴じ込み部材に着脱自在に取り付けられ、前記複数のリングにおける開口を閉じる帯状部材とを備え、前記帯状部材は所定の力で弾性変形すると共に、その両側に前記複数のリングにおける開口の端縁部に係止する係止手段を有し、前記帯状部材を弾性変形させて両側の前記係止手段を前記開口内に挿入し、前記帯状部材をその弾性で元の形状に復元させて前記係止手段を前記開口の端縁部に係止させることを特徴とする。
【００１３】
上記帯状部材は、ファイリング装置の使用者が指の力で弾性変形させることが可能な樹脂で成形するのが望ましい。
【００１４】
本発明においては、ファイリング装置の使用者が比較的小さな所定の力で帯状部材を弾性変形させることができるので、綴じ込み部材のリングにおける開口の側方から帯状部材を取り付けることができ、取り扱いが容易になる。
【００１５】
また、前記帯状部材の断面は、前記開口より幅が狭い上面と、前記上面と平行で前記開口より幅が広い下面と、前記上面及び前記下面の端縁を結ぶべく互いに反対側に傾斜する傾斜面とで構成し、前記傾斜面には前記係止手段を形成することができる。
【００１６】
この場合には、帯状部材を上面からリングの開口に挿入し、その下面を押すだけで綴じ込み部材に取り付けることができるので、取り扱いが更に容易になる。
【００１７】
【発明の実施の形態】
以下、本発明の実施の形態を添付した図１から図９に基づいて説明する。
（第１実施形態）
図１（ａ），（ｂ）は、本発明の第１実施形態のファイリング装置５を示す。このファイリング装置５は、図１（ａ）に示すように、一端部に複数の孔５１が一列に設けられた複数枚のシート５０を増減自在に綴じるものである。
【００１８】
このファイリング装置５は、図１（ｂ）に示すように、シート５０の孔５１に出し入れすべく開口５２ａが設けられた複数のリング５２を有する綴じ込み部材５３と、この綴じ込み部材５３に着脱自在に取り付けられ、複数のリング５２における開口５２ａを閉じる帯状部材５４とを備えている。
【００１９】
次に、上記各構成要素について説明する。綴じ込み部材５３は、例えばステンレス鋼製で断面円形の線状部材を折り曲げることにより形成されている。リング５２は略長円形状に形成され、その長軸に沿った側の円弧部分の略中央に、適宜な大きさの開口５２ａが設けられている。
【００２０】
リング５２は、図１（ａ）に示すように、二個一組として多数配列されている。これらのリング５２は、図２に示すように、開口５２ａの一方の端縁部５２ｂが各組毎に接続されている。また、図３に示すように、開口５２ａの他方の端縁部５２ｂは、隣接する組毎に接続されている。
【００２１】
図１（ａ）の帯状部材５４は、所定の力、例えばファイリング装置５の使用者が親指と人差し指で挟む程度の力（約（）ｇ〜（）ｇ）で、弾性変形させることが可能となるように、その材料及び形状が設定されている。本実施形態では、帯状部材５４はポリプロピレンで成形されているが、そのほか各種の樹脂などで成形することもできる。
【００２２】
この帯状部材５４は、綴じ込み部材５３と略同一かそれより少し長く形成されている。また、帯状部材５４は、図４に示すように、その両側に複数のリング５２における開口５２ａの端縁部５２ｂに係止する係止手段としてのフック部５５，５５と、これらのフック部５５，５５を連結する連結部５６とを有している。フック部５５及び連結部５６は、帯状部材５４の全長に亘って連続している。
【００２３】
フック部５５，５５は断面が変形Ｕ字状であり、その一辺５５ａが他辺５５ｂより長く成形されている。また、フック部５５の両辺５５ａ，５５ｂは、その間隔が多少先すぼまりとなるように成形されている。連結部５６は、薄板状に成形されている。
【００２４】
この帯状部材５４は、図５に示すように、両側のフック部５５，５５における長辺５５ａ，５５ａの先端部を、使用者の親指と人差し指で軽く挟むことによって、連結部５６がくの字状に弾性変形し、フック部５５ａ，５５ａの間隔が短くなる。また、フック部５５，５５に加えていた力を取り除くと、その弾性で元の状態（図４参照）に復元する。
【００２５】
次に、このファイリング装置５の作用を説明する。ファイリング装置５で、シート５０を綴じる場合には、まず図６に示すように、綴じ込み部材５３から帯状部材５４を取り外し、シート５０の各孔５１，５１・・・に綴じ込み部材５３の各リング５２，５２・・・を挿入する。
【００２６】
次に、図７に示すように、帯状部材５４におけるフック部５５，５５の長辺５５ａ，５５ａを親指と人差し指で挟んで軽く締め付ける。これによって、フック部５５，５５を連結している連結部５６がくの字状に折り曲げられ、フック部５５，５５の間隔が小さくなる。
【００２７】
この状態で、フック部５５，５５の短辺５５ｂ，５５ｂ側を綴じ込み部材５３におけるリング５２の開口５２ａ内に挿入する。フック部５５の長辺５５ａ，５５ａは、開口５２ａの外側に出しておく。
【００２８】
その後、フック部５５，５５の長辺５５ａ，５５ａに加えていた力を取り除くと、図１（ｂ）に示すように、連結部５６が直線状に復元し、両方のフック部５５，５５がリング５２の両端縁部５２ｂ，５２ｂに係止される。これで、リング５２の開口５２ａが帯状部材５４で閉じられ、シート５０がファイリング装置５から不用意に抜け出るのを防止できる。
【００２９】
このように、本発明によれば、帯状部材５４を弾性変形させて、綴じ込み部材５３の多数のリング６２における開口６２ａの側方から取り付けることができるので、多数のリング６２の中心が互いに位置ずれしている場合でも、いちいちリング６２の位置を調整する必要がない。従って、取り扱いが容易になる。
（第２実施形態）
図８は、本発明の第２実施形態のファイリング装置６を示す。このファイリング装置６は、第１実施形態の綴じ込み部材５３と略同じ形状の綴じ込み部材６１と、この綴じ込み部材６１に取り付けられる帯状部材６３とを有している。
【００３０】
綴じ込み部材６１のリング６２は略長円形であり、その開口６２ａは比較的狭く形成されている。
【００３１】
また、帯状部材６３はリング６２の開口６２ａより幅が狭い上面６３ａと、この上面６３ａと平行で開口６２ａより幅が広い下面６３ｂと、上面６３ａ及び下面６３ｂの端縁を結ぶべく互いに反対側に傾斜する傾斜面６４，６４とを有している。更に、傾斜面６４，６４には、係止手段である係止溝６５，６５が形成されている。
【００３２】
係止溝６５，６５は、その断面がリング６２の開口６２ａにおける端縁部６２ｂ，６２ｂを挿入できる大きさに成形され、帯状部材６３の全長に亘って設けられている。この帯状部材６３は、ポリプロピレンなどの樹脂で成形されており、使用者が弾性変形させることができるように成形されている。
【００３３】
このファイリング装置６は、綴じ込み部材６１に帯状部材６３を取り付ける際には、図９に示すように、まず帯状部材６３の上面６３ａをリング６２の開口６２ａ内に挿入する。
【００３４】
そうすると、帯状部材６３の両側の傾斜面６４，６４が開口６２ａの両端縁部６２ｂ，６２ｂに引っかかる。この状態で、帯状部材６３の下面６３ｂをリング６２の内側に向けて押圧する。
【００３５】
これにより、帯状部材６３の傾斜面６４，６４及びその近傍が弾性変形し、帯状部材６３がリング６２の内側に更に押し込まれる。そして、図８に示すように、傾斜面６４，６４の移動の途中で、その中間にある係止溝６５，６５と、リング６２の開口６２ａにおける端縁部６２ｂ，６２ｂとが一致した時に、係止溝６５，６５の周辺部分がその弾性で元の形状に復元し、リング６２の端縁部６２ｂ，６２ｂが係止溝６５，６５内に挿入されて係止される。
【００３６】
これによって、リング６２の開口６２ａが帯状部材６３で閉じられるので、シート５０が不用意に脱落するのを防止できる。
【００３７】
このファイリング装置６も、上記第１実施形態のファイリング装置５と同様に、帯状部材６３を多数のリング６２における開口６２ａの側方から取り付けることができるので、リング６２が互いに位置ずれしている場合でも、いちいちリング６２の位置調整をする必要がなく、取り扱いが容易になる。
【００３８】
【発明の効果】
以上説明したように、本発明によれば、綴じ込み部材のリングにおける開口の側方から帯状部材を取り付けることができるので、多数のリングの中心がずれている場合でも、リングの位置調整をする必要がなく、取り扱いが容易になる。
【００３９】
また、帯状部材の断面を、リングの開口より幅が狭い上面と、上面と平行で開口より幅が広い下面と、上面及び下面の端縁を結ぶべく互いに反対側に傾斜する傾斜面とで構成し、傾斜面には係止手段を形成した場合には、帯状部材を上面からリングの開口に挿入し、その下面を押すだけで綴じ込み部材に取り付けることができるので、取り扱いが更に容易になる。
【図面の簡単な説明】
【図１】図１（ａ）は本発明に係る第１実施形態のファイリング装置を示す図、図１（ｂ）は図１（ａ）のＡ矢視図である。
【図２】図１（ｂ）のＢ矢視図である。
【図３】図１（ｂ）のＣ矢視図である。
【図４】本発明に係る第１実施形態の帯状部材を示す図である。
【図５】本発明に係る第１実施形態の帯状部材を弾性変形させた状態を示す図である。
【図６】本発明に係る第１実施形態の綴じ込み部材にシートを綴じ込む方法を示す図である。
【図７】本発明に係る第１実施形態の帯状部材を綴じ込み部材に取り付ける方法を示す図である。
【図８】本発明に係る第２実施形態のファイリング装置を示す図である。
【図９】本発明に係る第２実施形態の帯状部材を綴じ込み部材に取り付ける方法を示す図である。
【図１０】従来例に係るファイリング装置を示す斜視図である。
【図１１】従来例に係るファイリング装置を示す側面図である。
【符号の説明】
５，６　ファイリング装置
５０　シート
５１　孔
５２，６２　リング
５２ａ，６２ａ　開口
５２ｂ，６２ｂ　端縁部
５２ｃ　係止手段
５３，６１　綴じ込み部材
５４，６２　帯状部材
６５　係止溝（係止手段）
【図１】
2004106438.tif 000003
【図２】
2004106438.tif 000004
【図３】
2004106438.tif 000005
【図４】
2004106438.tif 000006
【図５】
2004106438.tif 000007
【図６】
2004106438.tif 000008
【図７】
2004106438.tif 000009
【図８】
2004106438.tif 000010
【図９】
2004106438.tif 000011
【図１０】
2004106438.tif 000012
【図１１】
2004106438.tif 000013
【手続補正書】
【提出日】平成15年1月9日(2003.1.9)
【手続補正１】
【補正対象書類名】明細書
【補正対象項目名】００２１
【補正方法】変更
【補正の内容】
【００２１】
図１（ａ）の帯状部材５４は、所定の力、例えばファイリング装置５の使用者が親指と人差し指で挟む程度の力で、弾性変形させることが可能となるように、その材料及び形状が設定されている。本実施形態では、帯状部材５４はポリプロピレンで成形されているが、そのほか各種の樹脂などで成形することもできる。